(57)【特許請求の範囲】
【請求項１】
互いに対向する前後胴周り域およびそれら胴周り域の間に位置する股下域を画成するシート部材と、前記股下域から前記前後胴周り域へ向かって延びる吸液性部材とから構成され、前記シート部材が、前記吸液性部材の両端縁の外側に位置して前記前後胴周り域を胴周り方向へ延びる胴周り端部と、前記吸液性部材の両側縁の外側に位置して前記前後胴周り域を縦方向へ延びる胴周り側部とを有し、前記胴周り側部の側縁近傍を固着することで胴周り開口と一対の脚周り開口とが形成され、前記胴周り方向へ延びる胴周り用弾性部材が前記胴周り端部に伸長状態で取り付けられ、脚周り方向へ延びる脚周り用弾性部材が脚周り開口縁部に伸長状態で取り付けられたパンツ型の使い捨て着用物品において、
前記シート部材が、外側シートと、前記前後胴周り域および前記股下域のうちの少なくとも該前後胴周り域に位置して前記吸液性部材を取り付ける内側シートとから形成され、
前記前後胴周り域のうちの少なくとも一方を前記胴周り方向へ延びていて前記吸液性部材を横切る複数条の補助弾性部材が、前記胴周り用弾性部材と前記脚周り開口との間を前記縦方向へ所与寸法離間して並ぶとともに、前記外側シートと前記内側シートとの間に伸長状態で取り付けられ、前記補助弾性部材が、前記胴周り側部の側縁近傍に固着された両端部と、前記両端部の間に位置して前記外側シートと前記内側シートとに非固着の中央部とを有しており、
前記外側シートと前記内側シートとの内面どうしを固着する多数の固着部が、前記補助弾性部材の間を前記縦方向へ所与寸法離間して並ぶとともに、前記前後胴周り域のうちの少なくとも前記吸液性部材の存在域に形成されていることを特徴とする前記着用物品。
【請求項２】
前記固着部が、前記吸液性部材の両側縁近傍に形成されている請求項１記載の着用物品。
【請求項３】
前記固着部が、前記吸液性部材の端縁の側に延びる前記補助弾性部材と該吸液性部材の端縁との間に形成されている請求項２記載の着用物品。
【請求項４】
前記補助弾性部材の非伸長時における胴周り方向の長さ寸法が、前記前後胴周り域に位置する前記吸液性部材の前記胴周り方向の長さ寸法と略同一、または、前記吸液性部材の前記長さ寸法よりもわずかに長い請求項１ないし請求項３いずれかに記載の着用物品。
【請求項５】
前記前後胴周り域のうちの少なくとも一方では、前記吸液性部材の存在域に位置する前記内外側シートのいずれかに所与の形状が画かれている請求項１ないし請求項４いずれかに記載の着用物品。
【発明の詳細な説明】
【０００１】
【発明の属する技術分野】
本発明は、排泄物を吸収、保持するパンツ型の使い捨て着用物品に関する。
【０００２】
【従来の技術】
特開平９−５６７４７号公報は、肌当接側に位置する透液性表面シートと、肌非当接側に位置する不透液性裏面シートと、表裏面シートの間に介在する吸液性コアとから構成され、表裏面シートの前後胴周り域を縦方向へ延びる胴周り側縁近傍が縦方向へ間欠的に並ぶ多数の熱融着部を介して固着され、胴周り開口とその下方に一対の脚周り開口とが形成されたパンツ型の使い捨て着用物品を開示している。
【０００３】
この着用物品では、脚周り方向へ延びる複数条の脚周り用弾性部材が脚周り開口縁部に伸長状態で取り付けられ、胴周り方向へ延びる複数条の胴周り用弾性部材が前胴周り域に伸長状態で取り付けられている。脚周り用弾性部材は、表面シートと裏面シートとの内面にホットメルト型接着剤を介して固着されている。胴周り用弾性部材は、胴周り開口と脚周り開口との間を縦方向へ所与寸法離間して並んでいる。前胴周り域のコアの非存在域では、胴周り用弾性部材が表面シートと裏面シートとの内面にホットメルト型接着剤を介して固着されている。前胴周り域のコアの存在域では、胴周り用弾性部材が裏面シートの内面にホットメルト型接着剤を介して固着されている。
【０００４】
この着用物品は、コアの端縁近傍において胴周り用弾性部材の配列間隔をコアの他の部位における胴周り用弾性部材のそれよりも小さくしているので、着用物品をコアの端縁近傍において確実に着用者の胴周りに密着させ、コアの端縁近傍における排泄物の漏れを防ぐことができるという効果を有する。
【０００５】
【発明が解決しようとする課題】
前記公報に開示の着用物品では、胴周り用弾性部材が胴周り方向へ収縮することによって、コアの非存在域に位置する表面シートと裏面シートとに縮緬状の多数のギャザーが形成され、コアの存在域に位置する裏面シートに縮緬状の多数のギャザーが形成される。この着用物品は、それらギャザーによって表面シートと裏面シートとの触感や美観が低下するばかりではなく、裏面シートの外面に絵柄や幾何学的模様等の形状を画いたときに、それら形状が歪んでしまい、形状をはっきりと認識することができない場合がある。
【０００６】
本発明の課題は、シートに縮緬状の多数のギャザーが形成されることを防ぎ、シートに所与の形状を画いたとしても、その形状をはっきりと認識することができるパンツ型の使い捨て着用物品を提供することにある。
【０００７】
【課題を解決するための手段】
前記課題を解決するための本発明の前提は、互いに対向する前後胴周り域およびそれら胴周り域の間に位置する股下域を画成するシート部材と、前記股下域から前記前後胴周り域へ向かって延びる吸液性部材とから構成され、前記シート部材が、前記吸液性部材の両端縁の外側に位置して前記前後胴周り域を胴周り方向へ延びる胴周り端部と、前記吸液性部材の両側縁の外側に位置して前記前後胴周り域を縦方向へ延びる胴周り側部とを有し、前記胴周り側部の側縁近傍を固着することで胴周り開口と一対の脚周り開口とが形成され、前記胴周り方向へ延びる胴周り用弾性部材が前記胴周り端部に伸長状態で取り付けられ、脚周り方向へ延びる脚周り用弾性部材が脚周り開口縁部に伸長状態で取り付けられたパンツ型の使い捨て着用物品である。
【０００８】
前記前提における本発明の特徴は、前記シート部材が、外側シートと、前記前後胴周り域および前記股下域のうちの少なくとも該前後胴周り域に位置して前記吸液性部材を取り付ける内側シートとから形成され、前記前後胴周り域のうちの少なくとも一方を前記胴周り方向へ延びていて前記吸液性部材を横切る複数条の補助弾性部材が、前記胴周り用弾性部材と前記脚周り開口との間を前記縦方向へ所与寸法離間して並ぶとともに、前記外側シートと前記内側シートとの間に伸長状態で取り付けられ、前記補助弾性部材が、前記胴周り側部の側縁近傍に固着された両端部と、前記両端部の間に位置して前記外側シートと前記内側シートとに非固着の中央部とを有しており、前記外側シートと前記内側シートとの内面どうしを固着する多数の固着部が、前記補助弾性部材の間を前記縦方向へ所与寸法離間して並ぶとともに、前記前後胴周り域のうちの少なくとも前記吸液性部材の存在域に形成されていることにある。
【００１０】
本発明の実施の態様の一例としては、前記固着部が、前記吸液性部材の両側縁近傍に形成されている。
【００１１】
本発明の実施の態様の他の一例としては、前記固着部が、前記吸液性部材の端縁の側に延びる前記補助弾性部材と該吸液性部材の端縁との間に形成されている。
【００１２】
本発明の実施の態様の他の一例としては、前記補助弾性部材の非伸長時における胴周り方向の長さ寸法が、前記前後胴周り域に位置する前記吸液性部材の前記胴周り方向の長さ寸法と略同一、または、前記吸液性部材の前記長さ寸法よりもわずかに長い。
【００１３】
本発明の実施の態様の他の一例として、前記前後胴周り域のうちの少なくとも一方では、前記吸液性部材の存在域に位置する前記内外側シートのいずれかに所与の形状が画かれている。
【００１４】
【発明の実施の形態】
添付の図面を参照し、本発明に係るパンツ型の使い捨て着用物品の詳細を説明すると、以下のとおりである。
【００１５】
図１，２は、使い捨て着用物品１の部分破断斜視図と、前後胴周り域７，９の連結を解除した状態で示す図１の物品１の平面図とであり、図３，４は、物品１をわずかに湾曲させたときの図２のＩ−Ｉ線矢視断面図と、図２のＩＩ−ＩＩ線矢視断面図とである。図１では、胴周り方向を矢印Ｘ、縦方向を矢印Ｙで示し、脚周り方向を矢印Ｚで示す。図２では、補助弾性部材１９の非伸長時の状態を二点鎖線で示す。なお、外側シート５と内側シート６との内面とは、それらシート５，６の互いに対向する面をいい、それらシート５，６の外面とは、それらシート５，６の非対向の面をいう。
【００１６】
物品１は、胴周り開口３とその下方に一対の脚周り開口４とを有するパンツ２と、パンツ２の内側に取り付けられた吸液性インナーパッド２５（吸液性部材）とから構成されている。
【００１７】
パンツ２は、通気性の外側シート５（シート部材）と、外側シート５とパッド２５との間に介在する通気性の内側シート６（シート部材）とから形成されている。パンツ２は、互いに対向する前胴周り域７および後胴周り域９と、前後胴周り域７，９の間に位置する股下域８とを有する。
【００１８】
外側シート５と内側シート６とは、パッド２５の両端縁２５ａの外側に位置して前後胴周り域７，９を胴周り方向へ延びる胴周り端部１０と、パッド２５の両側縁２５ｂの外側に位置して前後胴周り域７，９を縦方向へ延びる胴周り側部１１と、パッド２５の両側縁２５ｂの外側に位置して股下域８を脚周り方向へ延びる脚周り開口縁部１２とを有する。外側シート５と内側シート６とは、それらシート５，６の内面どうしが胴周り端部１０と胴周り側部１１の側縁１３近傍と脚周り開口縁部１２とにおいて固着されている。パンツ２では、それらシート５，６の胴周り側部１１の側縁１３近傍が合掌状に重なり合い、側縁１３近傍が縦方向へ間欠的に並ぶ多数の熱融着部１４を介して固着されている。
【００１９】
胴周り端部１０には、胴周り方向へ延びる複数条の胴周り用弾性部材１５が伸長状態で取り付けられている。胴周り端部１０には、胴周り用弾性部材１５が胴周り方向へ収縮することによって多数のギャザーが形成されている。脚周り開口縁部１２には、脚周り方向へ延びる複数条の脚周り用弾性部材１６が伸長状態で取り付けられている。脚周り開口縁部１２には、脚周り用弾性部材１６が脚周り方向へ収縮することによって多数のギャザーが形成されている。胴周り用弾性部材１５と脚周り用弾性部材１６とは、外側シート５と内側シート６との間に介在し、それらシート５，６の内面に固着されている。
【００２０】
前胴周り域７では、パッド２５の存在域１７に位置する外側シート５の外面に小熊の絵１８（形状）が画かれている。絵１８は、それが外側シート５の外部から透視可能であれば、外側シート５の内面に画かれていてもよく、内側シート６の内外面のいずれかに画かれていてもよい。前後胴周り域５，６には、パッド２５を横切って胴周り方向へ延びる複数条の補助弾性部材１９が伸長状態で取り付けられている。
【００２１】
補助弾性部材１９は、外側シート５と内側シート６との間に介在し、胴周り用弾性部材１５と脚周り開口４との間を縦方向へ所与寸法離間して並んでいる。補助弾性部材１９は、外側シート５と内側シート６との胴周り側部１１の側縁１３近傍に固着された両端部１９ａと、両端部１９ａの間に位置して外側シート５と内側シート６とに非固着の中央部１９ｂとを有する。補助弾性部材１９は、図２に示すように、その非伸長時における胴周り方向の長さ寸法Ｌ１が前後胴周り域７，９に位置するパッド２５の胴周り方向の長さ寸法Ｌ２よりもわずかに長い。長さ寸法Ｌ１は、長さ寸法Ｌ２よりも１〜５ｍｍ長いことが好ましい。補助弾性部材１９の非伸長時における胴周り方向の長さ寸法Ｌ１は、パッド２５の胴周り方向の長さ寸法Ｌ２と略同一であってもよい。
【００２２】
前後胴周り域７，９では、外側シート５と内側シート６との内面どうしが多数の固着部２０を介して固着されている。固着部２０は、巨視的に点状のものであり、前後胴周り域７，９のうちのパッド２５の存在域１７に形成されている。固着部２０は、補助弾性部材１９の間を縦方向と胴周り方向とヘ所与寸法離間して並んでいる。
【００２３】
固着部２０は、パッド２５の胴周り方向中央部を縦方向へ並ぶ第１固着部２１と、第１固着部２１の両側を縦方向へ並ぶ第２固着部２２と、パッド２５の両側縁２５ｂ近傍を縦方向へ並ぶ第３固着部２３とから形成されている。第１〜第２固着部２１，２２のうちの前後胴周り域７，９の最上に位置する固着部２１ａ，２２ａは、パッド２５の両端縁２５ａ近傍を横切る補助弾性部材１９ｃとパッド２５の両端縁２５ａとの間に形成されている。第３固着部２３のうちの前後胴周り域７，９の最上に位置する固着部２３ａは、パッド２５の両端縁２５ａと両側縁２５ｂとの交差部位に形成されている。
【００２４】
固着部２０の縦方向へ並ぶ数は、図示のものに限定するものではない。固着部２０は、点状のものの他に、胴周り方向へ延びる線状のものや帯状のものであってもよい。
【００２５】
物品１では、第１および第２固着部２１，２２は必ずしも必要ではなく、外側シート５と内側シート６との内面どうしが第３固着部２３を介して固着されていればよい。物品１では、胴周り端部１０と胴周り側部１１とを除く前後胴周り域７，９のパッド２５の非存在域２４において、外側シート５と内側シート６との内面どうしが縦方向ヘ所与寸法離間して並ぶ多数の固着部２０を介して固着されていてもよい。この場合において、固着部２０は、補助弾性部材１９の間に形成される。
【００２６】
パッド２５は、肌当接側に位置する透液性表面シート２６と、肌非当接側に位置する不透液性裏面シート２７と、それらシート２６，２７の間に介在する吸液性コア２８とから形成されている。パッド２５は、その平面形状が略矩形を呈し、パンツ２の股下域８から前後胴周り域７，９へ向かって延びている。パッド２５の両側縁２５ｂ近傍には、実質的に不透液性の側部シート２９が取り付けられている。
【００２７】
パッド２５では、コア２８の周縁から周方向外方へ延びる表裏面シート２６，２７の周縁部が互いに重なり合った状態で固着されている。パッド２５は、パンツ２の前後胴周り域７，９に位置する略全域が裏面シート２７を介して前後胴周り域７，９に延びる内側シート６の外面に固着されている。
【００２８】
側部シート２９は、パッド２５の両側縁２５ｂ近傍に固着されて縦方向へ延びる固定縁部２９ａと、固定縁部２９ａと並行して縦方向へ延びる自由縁部２９ｂと、パッド２５の胴周り方向中央部の側に倒伏した状態でパッド２５の両端縁２５ａ近傍に固着された固定両端部２９ｃとを有する。自由縁部２９ｂには、縦方向へ延びる伸縮性弾性部材３０が伸長状態で取り付けられている。
【００２９】
コア２８は、表面シート２６と裏面シート２７とのうちの少なくとも一方に固着されている。コア２８は、フラッフパルプと高吸収性ポリマー粒子との混合物、または、フラッフパルプと高吸収性ポリマー粒子と熱可塑性合成樹脂繊維との混合物であり、所要の厚みに圧縮されている。ゆえに、パッド２５は、外側シート５や内側シート６、表裏面シート２６，２７よりも高剛性である。
【００３０】
コア２８は、それの型崩れやポリマー粒子の脱落を防止するため、全体がティッシュペーパーに被覆されていることが好ましい。ポリマー粒子としては、デンプン系、セルロース系、合成ポリマー系のものを使用することができる。
【００３１】
パッド２５では、それが表面シート２６を内側にして縦方向へ湾曲すると、弾性部材３０が収縮して側部シート２９の自由縁部２９ｂが表面シート２６の上方へ起立する。パッド２５では、側部シート２９の自由縁部２９ｂが排泄物に対する障壁を形成し、パッド２５の両側縁２５ｂからの排泄物の漏れを防ぐことができる。
【００３２】
外側シート５と内側シート６との固着や内外側シート５，６に対する弾性部材１５，１６，１９の固着、内側シート６と裏面シート２７との固着、表裏面シート２６，２７の固着、表裏面シート２６，２７に対するコア２８の固着には、ホットメルト型接着剤（図示せず）が使用されている。
【００３３】
物品１では、補助弾性部材１９がその中央部１９ｂにおいて外側シート５と内側シート６とに固着されていないので、胴周り端部１０と胴周り側部１１の側縁１３近傍と脚周り開口縁部１２とを除き、外側シート５と内側シート６とに縮緬状の多数のギャザーが形成されることはなく、それらシート５，６の触感や美観が向上する。パッド２５の存在域１７では、パッド２５が前後胴周り域７，９に延びる内側シート６に固着され、外側シート５と内側シート６との内面どうしが多数の固着部２０を介して固着されているので、補助弾性部材１９が胴周り方向へ収縮したとしても、補助弾性部材１９の収縮力がパッド２５の剛性によってそこに位置する外側シート５と内側シート６とに及ぶことはない。パッド２５の存在域１７では、外側シート５が略フラットとなり、外側シート５に画かれた小熊の絵１８が歪むことはなく、絵１８をはっきりと認識することができる。
【００３４】
物品１では、補助弾性部材１９の非伸長時における胴周り方向の長さ寸法Ｌ１がパッド２５の両側縁２５ｂの間における胴周り方向のそれに対して１〜５ｍｍ長いので、補助弾性部材１９が胴周り方向へ収縮したとしても、補助弾性部材１９がパッド２５の胴周り方向の長さ寸法Ｌ２よりも収縮することはなく、補助弾性部材１９の収縮力によってパッド２５に皺が形成されることはない。
【００３５】
物品１では、補助弾性部材１９の間に位置する多数の固着部２０が補助弾性部材１９の縦方向への移動を阻止する。物品１では、パッド２５の両端縁２５ａ近傍を横切る補助弾性部材１９ｃとパッド２５の両端縁２５ａとの間に固着部２１ａ，２２ａ，２３ａが形成されているので、その補助弾性部材１９ｃがパッド２５の両端縁２５ａから外側へ外れてしまうことはない。物品１では、補助弾性部材１９ｃがパッド２５の両端縁２５ａ近傍を支持するので、パッド２５の両端縁２５ａ近傍がパンツ２の外側へ向かって出っ張ることがない。
【００３６】
物品１では、胴周り用弾性部材１５の他に、前後胴周り域７，９に複数条の補助弾性部材１９が取り付けられているので、それら弾性部材１５，１９によって物品１を着用した着用者の胴周りを締め付けることができ、物品１の前後胴周り域７，９が着用者の胴周りに密着し、物品１のずれ下がりや排泄物の漏れを防ぐことができる。
【００３７】
図５，６は、他の実施の形態を示す使い捨て着用物品３１の部分破断斜視図と、前後胴周り域の連結を解除した状態で示す図５の物品３１の平面図とであり、図７，８は、物品３１をわずかに湾曲させたときの図６のＩＩＩ−ＩＩＩ線矢視断面図と、図６のＩＶ−ＩＶ線矢視断面図とである。図５では、胴周り方向を矢印Ｘ、縦方向を矢印Ｙで示し、脚周り方向を矢印Ｚで示す。
【００３８】
物品３１は、肌当接側に位置する透液性表面シート３２と、肌非当接側に位置する不透液性裏面シート３３（シート部材）と、それらシート３２，３３の間に介在する吸液性コア３４（吸液性部材）とを主要な構成部材とする。
【００３９】
物品３１は、互いに対向する前胴周り域３５および後胴周り域３７と、前後胴周り域３５，３７の間に位置する股下域３６とを有する。物品３１は、胴周り開口３８とその下方に一対の脚周り開口３９とを有する。
【００４０】
裏面シート３３は、通気性の外側シート４０と、外側シート４０とコア３４との間に介在する実質的に不透液性の内側シート４１とから形成されている。外側シート４０と内側シート４１とは、コア３４の両端縁３４ａの外側に位置して前後胴周り域３５，３７を胴周り方向へ延びる胴周り端部４２と、コア３４の両側縁３４ｂの外側に位置して前後胴周り域３５，３７を縦方向へ延びる胴周り側部４３と、コア３４の両側縁３４ｂの外側に位置して股下域３６を脚周り方向へ延びる脚周り開口縁部４４とを有する。
【００４１】
外側シート４０と内側シート４１とは、それらシート４０，４１の内面どうしが胴周り端部４２と胴周り側部４３の側縁４５近傍と脚周り開口縁部４４とにおいて固着されている。物品３１では、外側シート４０と内側シート４１との胴周り側部４３の側縁４５近傍が合掌状に重なり合い、側縁４５近傍が縦方向へ間欠的に並ぶ多数の熱融着部４６を介して固着されている。
【００４２】
コア３４は、股下域３６から前後胴周り域３５，３７へ向かって延びている。コア３４は、図１のそれと同一のもので、表面シート３２や外側シート４０、内側シート４１よりも剛性が高い。コア３４は、その全体がティッシュペーパー４７に被覆され、その下面の略全域がティッシュペーパー４７を介して前後胴周り域３５，３７と股下域３６とに延びる内側シート４１の外面に固着されている。
【００４３】
表面シート３２は、胴周り方向の長さ寸法が外側シート４０と内側シート４１との胴周り方向のそれよりも小さく、コア３４の周縁から周方向外方へ延びる表面シート３２の周縁部が内側シート４１の外面に固着されている。
【００４４】
胴周り端部４２には、胴周り方向へ延びる複数条の胴周り用弾性部材４８が伸長状態で取り付けられている。脚周り開口縁部４４には、脚周り方向へ延びる複数条の脚周り用弾性部材４９が伸長状態で取り付けられている。胴周り用弾性部材４８と脚周り用弾性部材４９とは、外側シート４０と内側シート４１との間に介在し、それらシート４０，４１の内面に固着されている。
【００４５】
前後胴周り域３５，３７には、コア３４を横切って胴周り方向へ延びる複数条の補助弾性部材５０が伸長状態で取り付けられている。補助弾性部材５０は、外側シート４０と内側シート４１との間に介在し、胴周り用弾性部材４８と脚周り開口３９との間を縦方向へ所与寸法離間して並んでいる。補助弾性部材５０は、外側シート４０と内側シート４１との胴周り側部４３の側縁４５近傍に固着された両端部５０ａと、両端部５０ａの間に位置して外側シート４０と内側シート４１とに非固着の中央部５０ｂとを有する。補助弾性部材５０の非伸長時における胴周り方向の長さ寸法は、コア３４の胴周り方向の長さ寸法と略同一、または、コア３４の胴周り方向の長さ寸法よりも１〜５ｍｍ長いことが好ましい。
【００４６】
外側シート４０と内側シート４１との固着や内外側シート４０，４１に対する弾性部材４８，４９，５０の固着、内側シート４１に対する表面シート３２やコア３４の固着には、ホットメルト接着剤（図示せず）が使用されている。
【００４７】
この物品３１では、補助弾性部材５０の胴周り方向への収縮によって、前後胴周り域３５，３７に延びる外側シート４０と中間シート４１とが緩やかに起伏するが、補助弾性部材５０の中央部５０ｂが外側シート４０と内側シート４１とに固着されていないので、胴周り端部４２と胴周り側部４３の側縁４５近傍と脚周り開口縁部４４とを除き、外側シート４０と内側シート４１とに縮緬状の多数のギャザーが形成されることはない。物品３１では、補助弾性部材５０が胴周り方向へ収縮したとしても、補助弾性部材５０がコア３４の胴周り方向の長さ寸法よりも収縮することはなく、補助弾性部材５０の伸長応力によってコア３４に皺が形成されることはない。
【００４８】
表面シート２６，３２には、親水処理を施した繊維不織布、または、微細な多数の開孔を有する熱可塑性プラスチックフィルムや疎水性繊維不織布を使用することができる。外側シート５，４０や内側シート６，４１、裏面シート２７には、実質的に不透液性の疎水性繊維不織布、通気不透液性の熱可塑性プラスチックフィルム、前記疎水性繊維不織布を重ね合わせた複合不織布、前記疎水性繊維不織布と通気不透液性の前記熱可塑性プラスチックフィルムとを重ね合わせた複合シートのいずれかを使用することができる。
【００４９】
不織布としては、スパンレース、ニードルパンチ、メルトブローン、サーマルボンド、スパンポンド、ケミカルボンド、エアースルー、の各製法により製造されたものを使用することができる。不織布の構成繊維としては、ポリオレフィン系、ポリエステル系、ポリアミド系、の各繊維、ポリエチレン／ポリプロピレンまたはポリエステルからなる芯鞘型複合繊維または並列型複合繊維を使用することができる。
【００５０】
【発明の効果】
本発明に係る使い捨て着用物品によれば、補助弾性部材の中央部が外側シートと内側シートとに固着されていないので、胴周り端部と胴周り側部の側縁近傍と脚周り開口縁部とを除き、外側シートと内側シートとに縮緬状の多数のギャザーが形成されることはなく、外側シートと内側シートとの触感や美観が向上する。
【００５１】
外側シートと内側シートとの対向面どうしが補助弾性部材の間に位置して縦方向へ並ぶ多数の固着部を介して固着された物品では、補助弾性部材が胴周り方向内方へ収縮したとしても、吸液性部材の剛性によって補助弾性部材の収縮力が吸液性部材の存在域に位置する外側シートと内側シートとに及ぶことはなく、吸液性部材の存在域において外側シートが略フラットとなる。
【００５２】
補助弾性部材の非伸長時における胴周り方向の長さ寸法が吸液性部材の両側縁の間における胴周り方向の長さ寸法に対して略同一またはわずかに長い物品では、補助弾性部材が胴周り方向内方へ向かって収縮したとしても、補助弾性部材が吸液性部材の胴周り方向の長さ寸法よりも収縮することはなく、補助弾性部材の収縮力によって吸液性部材に皺が形成されることはない。
【００５３】
吸液性部材の存在域に位置する外側シートの外面に所与の形状が画かれた物品では、吸液性部材の存在域において外側シートに縮緬状の多数のギャザーが形成されることはないので、形状が歪むことはなく、形状をはっきりと認識することができる。
【図面の簡単な説明】
【図１】使い捨て着用物品の部分破断斜視図。
【図２】前後方向へ展開した状態で示す図１の物品の平面図。
【図３】図２のＩ−Ｉ線断面図。
【図４】図２のＩＩ−ＩＩ線断面図。
【図５】他の実施の形態を示す使い捨て着用物品の部分破断斜視図。
【図６】前後方向へ展開した状態で示す図５の物品の平面図。
【図７】図６のＩＩＩ−ＩＩＩ線断面図。
【図８】図６のＩＶ−ＩＶ線断面図。
【符号の説明】
１            使い捨て着用物品
３            胴周り開口
４            脚周り開口
５            外側シート（シート部材）
６            内側シート（シート部材）
７            前胴周り域
８            股下域
９            後胴周り域
１０            胴周り端部
１１            胴周り側部
１２            脚周り開口縁部
１３            側縁
１５            胴周り用弾性部材
１６            脚周り用弾性部材
１７            存在域
１８            絵（形状）
１９            補助弾性部材
１９ａ          両端部
１９ｂ          中央部
１９ｃ          補助弾性部材
２０            固着部
２５            吸液性インナーパッド（吸液性部材）
２５ａ          両端縁
２５ｂ          両側縁
Ｌ１            長さ寸法
Ｌ２            長さ寸法
３１            使い捨て着用物品
３３            不透液性裏面シート（シート部材）
３４            吸液性コア（吸液性部材）
３５            前胴周り域
３６            股下域
３７            後胴周り域
３８            胴周り開口
３９            脚周り開口
４０            外側シート
４１            内側シート
４２            胴周り端部
４３            胴周り側部
４４            脚周り開口縁部
４５            側縁
４８            胴周り用弾性部材
４９            脚周り用弾性部材
５０            補助弾性部材
５０ａ          両端部
５０ｂ          中央部
【図１】
0004076744.tif 000002
【図２】
0004076744.tif 000003
【図３】
0004076744.tif 000004
【図４】
0004076744.tif 000005
【図５】
0004076744.tif 000006
【図６】
0004076744.tif 000007
【図７】
0004076744.tif 000008
【図８】
0004076744.tif 000009